(57)【要約】【課題】すぐに撮影をできない、或いは撮影を開始したのに記録できないという使用者のストレスを最低限に抑えられ、使い勝手の良い情報記録装置を提供する。【解決手段】撮影ＳＷ７により撮影開始の指示がされたら、ディスク９の有無を検出する手段及びディスク９の記録容量の残量を検出する手段の動作後に撮影を開始する第一のモードと、撮影ＳＷ７により撮影開始の指示がされたら、撮影を開始すると共にディスク９の有無を検出する手段及びディスク９の記録容量の残量を検出する手段の動作を行う第二のモードとを選択するモードＳＷ６を具備する。【選択図】図２
2007184039.tif 000002
【特許請求の範囲】
【請求項１】
撮影開始を指示する指示手段と、ディスク記録媒体の装着状況を検出するディスク記録媒体検出手段と、前記ディスク記録媒体の記録容量の残量を検出する残量検出手段とを有する情報記録装置において、前記指示手段により撮影開始の指示がされたら、前記ディスク記録媒体検出手段及び前記残量検出手段の動作後に前記撮影を開始する第一のモードと、前記撮影を開始すると共に前記ディスク記録媒体検出手段及び前記残量検出手段の動作を行う第二のモードとを選択する選択手段を有することを特徴とする情報記録装置。
【請求項２】
前記第一、第二のモードは、電源オン時に選択可能であることを特徴とする請求項１に記載の情報記録装置。
【請求項３】
前記第一、第二のモードは、前記ディスク記録媒体の交換時に選択可能であることを特徴とする請求項１に記載の情報記録装置。
【請求項４】
前記情報記録装置は、バッファメモリを備えており、前記第二のモードでは前記撮影で得られた情報を、前記バッファメモリに蓄積することを特徴とする請求項１に記載の情報記録装置。
【請求項５】
前記ディスク記録媒体のフォーマットを指示する手段を有し、前記選択手段により前記第二のモードが選択され、且つ、前記指示手段によりディスク記録媒体のフォーマットが指示された場合には、撮影を開始すると共に前記記録媒体をフォーマットすることを特徴とする請求項１に記載の情報記録装置。
【発明の詳細な説明】
【技術分野】
【０００１】
本発明は、光ディスク等の記録媒体に画像、音声等の情報を記録する装置、特に、装置の電源を投入してから記録可能な状態になるまでの時間短縮技術に関するものである。
【背景技術】
【０００２】
従来、光ディスク等のディスクに画像等の情報を記録する装置では、電源を投入してからディスクへの記録が可能となるまでの時間が長いことが問題となっている。特に、動画像を記録するビデオカメラでは、電源を投入してからすぐに記録できないことにより、撮影チャンスを逃す等の問題がおきていた。
【０００３】
この問題を解決する方法として、例えば、特開２００１−２１０００２号公報に提案された方法がある（特許文献１）。同公報の方法は、電源を投入した後、まず、画像等の情報をメモリ等のディスクとは異なる記憶手段へ記録を行い、ディスクへの記録動作が可能となった後、最初に記憶していたメモリ等からディスクへ記録を行うというものである。
【０００４】
そして、同公報の方法では、ディスクへの記録がすぐにできない場合でも、メモリ等の記憶手段に先にためておくことで、ビデオカメラ等の用途においても撮影チャンスを逃すことなく電源投入後すぐに撮影できるとしている。
【０００５】
しかしながら、上記方法では、ディスクの準備ができるまでメモリ等の記憶手段に記録しているが、メモリに記憶開始した時点では、ディスクの残り容量の情報は得られない。実際には、ディスクの準備の過程におけるかなり後半のファイル情報取得後に、そのディスクの記録可能残容量が分かることになる。
【０００６】
この時点でディスクの残容量が無い、もしくは、少ないことが判明すると、メモリに記憶したデータすべてもしくは一部がディスクへ記録できないという事態が生じる。このような事態は、撮影開始と同時にディスクに記録できていると思っているユーザ（一時的にメモリに記録していることを知らないユーザ）に著しいストレスを与えることになる。
【０００７】
また、撮影していたデータが、決定的チャンスであり、それがディスクに記録することができなかった場合は、そのストレスは計り知れないものがある。
【０００８】
このような事態を回避するため、ディスクの残容量を確認後に撮影可能となるようにすると、電源投入後すぐに撮影することができないということになる。
【０００９】
例えば、ユーザが新品のディスクを装置に装着して撮影を開始しようとしても、新品で残容量は十分あるにも拘わらず、ディスクの情報を読んで残容量を確認するまでは撮影可能とはならないことになる。
【００１０】
そこで、例えば、特開２００３−３１７３８９号公報には、そのような問題を解決するための方法が提案されている（特許文献２）。同公報の方法では、記録媒体の挿抜監視手段を用いて、電源遮断から再度電源投入までの間に挿抜が認められなかった場合にのみ、ディスクが記録可能となる前に撮影を開始している。
【特許文献１】特開２００１−２１０００２号公報
【特許文献２】特開２００３−３１７３８９号公報
【発明の開示】
【発明が解決しようとする課題】
【００１１】
特許文献２の方法では、ディスクを装置に装着したままの状態で再度電源を投入し撮影を開始する場合には、ディスクの残容量等の情報が内部に保持されているため、ストレス無く撮影が可能となるが、ディスク交換時にはやはり同様の問題が生じることになる。
【００１２】
本発明の目的は、ユーザへのストレスを最小限に抑えることが可能で使い勝手の良い情報記録装置を提供することにある。
【課題を解決するための手段】
【００１３】
本発明は、上記目的を達成するため、撮影開始を指示する指示手段と、ディスク記録媒体の装着状況を検出する記録媒体検出手段と、前記ディスク記録媒体の記録容量の残量を検出する残量検出手段とを有する情報記録装置において、前記指示手段により撮影開始の指示がされたら、前記ディスク記録媒体検出手段及び前記残量検出手段の動作後に前記撮影を開始する第一のモードと、前記撮影を開始すると共に前記ディスク記録媒体検出手段及び前記残量検出手段の動作を行う第二のモードとを選択する選択手段を有することを特徴とする。
【００１４】
本発明においては、撮影開始の指示がされたら、ディスク記録媒体の装着状況を検出手段及びディスク記録媒体の記録容量の残量を検出する手段の動作後に撮影を開始する第一のモードを有する。また、撮影開始の指示がされたら、撮影を開始すると共にディスク記録媒体の装着状況を検出する手段及びディスク記録媒体の記録容量の残量を検出する手段の動作を行う第二のモードを有し、第一のモードと第二のモードを選択できるようにする。
【発明の効果】
【００１５】
本発明によれば、すぐに撮影をできない、或いは撮影を開始したのに記録できないというような使用者のストレスを最低限に抑えることができ、使い勝手の良い情報記録装置を実現することが可能となる。
【発明を実施するための最良の形態】
【００１６】
次に、発明を実施するための最良の形態について図面を参照して詳細に説明する。
【００１７】
（第１の実施形態）
図１は本発明に係る情報記録装置の一実施形態の構成を示すブロック図である。本実施形態では、情報記録装置として映像を記録するビデオカメラの例を示す。図中１は被写体を撮影するカメラ部、２はカメラ部１からの映像信号を処理する信号処理部、３は装置の各部を制御するコントローラ、４は映像データを一時蓄えるバッファメモリ、５は光ディスク等のディスク９に対して記録を行う記録装置である。ディスク９は装置本体に対して交換が可能である。
【００１８】
また、６はモードＳＷ、７は撮影ＳＷである。カメラ部１から出力された映像信号は、信号処理部２でＭＰＥＧ２等の圧縮データに変換される。変換されたデータはコントローラ３の制御によりバッファメモリ４や記録装置５に出力される。
【００１９】
モードＳＷ６は、「高速起動」、「通常起動」の２つの状態を切り換えるスイッチである。撮影ＳＷ７は「撮影」、「停止」の２つの状態を切り換えるスイッチである。撮影ＳＷ７はコントローラ３の割り込み入力端子に接続され、割り込みにより撮影ＳＷ７が「撮影」状態であることをいつも検出できるようになっている。
【００２０】
次に、本実施形態の動作を図２のフローチャートに沿って説明する。まず、図示しないスイッチ等により電源が投入されると（Ｓ１）、コントローラ３は各部の初期化を行う（Ｓ２）。その初期化によりカメラ部１、信号処理部２、バッファメモリ４はすぐに動作可能状態となるが、記録装置５はディスク９の認識動作に入る。即ち、ディスク９が装置内に装着されているか否かの検出を行う。
【００２１】
続いて、コントローラ３はモードＳＷ６のチェックを行う（Ｓ３）。この時、モードＳＷ６は「通常起動」状態であったとする。その場合、コントローラ３は記録装置５の状態をチェックし、ディスク９の認識が終了したかどうか確かめる（Ｓ４）。記録装置５はディスク９を検出するスイッチ等を用いてディスク９の有無を検出する。
【００２２】
ディスク９が装着されている事がわかると、コントローラ３はディスク９の記録容量の残り容量をチェックする（Ｓ５）。残り容量がまだあることが確認され、且つ、この時点までに撮影ＳＷ７が「撮影」状態であった場合には、コントローラ３はカメラ部１の出力を信号処理回路２で圧縮処理したデータを、バッファメモリ４へ蓄積開始する（Ｓ６）。
【００２３】
更に、コントローラ３は記録装置５の状態をチェックし、ディスク９への記録が可能になったかどうかを確かめる（Ｓ７）。記録装置５でディスク９への記録が可能となると、コントローラ３はバッファメモリ４に蓄積されているデータを記録装置５へ送り、内部のディスク９に記録を開始する（Ｓ８）。
【００２４】
次に、モードＳＷ６が「高速起動」状態であった場合の動作を説明する。装置の電源が投入され（Ｓ１）、コントローラ３による各部の初期化動作（Ｓ２）までは同じである。続いて、コントローラ３はモードＳＷ６のチェックを行い（Ｓ３）、この時、モードＳＷ６が「高速起動」状態であったとする。
【００２５】
この時点までに、撮影ＳＷ７が「撮影」状態であった場合には、コントローラ３はカメラ部１の出力を信号処理回路２で圧縮処理したデータを、バッファメモリ４へ蓄積開始する（Ｓ９）。蓄積を続けながら、コントローラ３は記録装置５の状態をチェックし、ディスク９の認識が終了したかどうかを確かめる（Ｓ１０）。
【００２６】
ディスク９が装着されている事がわかると、コントローラ３は同様にディスク９の残り容量をチェックする（Ｓ１１）。残り容量がまだあることが確認されると、コントローラ３は記録装置５の状態をチェックし、ディスク９への記録が可能になったかを確かめる（Ｓ１２）。
【００２７】
ディスク９への記録が可能となると、コントローラ３はバッファメモリ４に蓄積されているデータを記録装置５へ送り、内部のディスク９に記録を開始する（Ｓ１３）。
【００２８】
なお、モードＳＷ６が「通常起動」の場合、Ｓ５でディスク９の残り容量がない時には、Ｓ１４でその旨を警告表示する。また、モードＳＷ６が「高速起動」の場合、Ｓ１１でコントローラ３によりディスク９の残り容量が無いことが確認された時には、Ｓ１５でバッファメモリ４への蓄積を停止（撮影停止）し、Ｓ１４でディスクの残容量がないことを警告表示する。
【００２９】
以上のようにモードＳＷ６が「通常起動」状態の場合は、撮影ＳＷ７が「撮影」状態となり、且つ、ディスク９が認識され、ディスク９の残り容量があることが確認されてから撮影を開始する。また、モードＳＷ６が「高速起動」状態の場合は、撮影ＳＷ７が「撮影」状態となれば、ディスク９を認識することなく、すぐに撮影を開始できる。
【００３０】
一般的に、ディスクを認識する時間は、数秒かかるので電源を入れてから実際に撮影できるまでの時間は、「高速起動」状態に比べ、「通常起動」状態では数秒遅れることになる。例えば、使用者が、ビデオカメラ内に入っているディスクの残容量があることがわかっていて撮影を行う場合、モードＳＷ６は、「高速起動」状態として行えば、撮影開始までの時間を短縮でき、ストレスの無い撮影が可能となる。
【００３１】
逆に、使用者が、ビデオカメラ内に入っているディスクの空き容量があるかどうかわからない場合は、モードＳＷ６を「通常起動」状態として撮影を開始することで、撮影した映像をディスクに記録できないというようなことが発生しない。
【００３２】
本実施形態においては、ビデオカメラの例をあげて説明したが、本発明はマイクを入力とする録音装置でも使用可能である。この場合、撮影ＳＷ７を録音ＳＷとして、「録音」と「停止」状態と置き換えて考えればよい。これは、以下の実施形態においても同様である。
【００３３】
（第２の実施形態）
図３は本発明の第２の実施形態を説明するフローチャートである。装置構成は、図１と同様であるので説明は省略する。図３のフローチャートに沿って説明する。
【００３４】
まず、電源が入った状態でディスク９が交換されると（Ｓ１）、コントローラ３は記録装置５の起動処理を行う（Ｓ２）。電源が入った状態なので、カメラ部１、画像処理部２、バッファメモリ４、等の初期化は終了しているが、記録装置５はディスク９が装着されたところなので、起動処理によりディスク９の認識動作に入る。
【００３５】
続いて、コントローラ３はモードＳＷ６のチェックを行う（Ｓ３）。この時、モードＳＷ６は「通常起動」状態であったとする。コントローラ３は記録装置５の状態をチェックし、ディスク９の認識が終了したかどうかを確かめる（Ｓ４）。
【００３６】
ディスク９の認識が終了した事がわかると、コントローラ３はディスク９の残り容量をチェックする（Ｓ５）。ディスクの残り容量がまだあることが確認され、且つ、この時点までに撮影ＳＷ７が「撮影」状態であった場合には、コントローラ３はカメラ部１の出力を信号処理回路２で圧縮処理したデータを、バッファメモリ４へ蓄積開始する（Ｓ６）。
【００３７】
更に、コントローラ３は記録装置５の状態をチェックし、ディスク９への記録が可能になったかどうかを確かめる（Ｓ７）。ディスク９への記録が可能となると、コントローラ３はバッファメモリ４に蓄積されているデータを記録装置５へ送り、内部のディスク９に記録を開始する（Ｓ８）。
【００３８】
次に、モードＳＷ６が「高速起動」状態であった場合の動作を説明する。電源が入った状態でディスクが交換され（Ｓ１）、コントローラ３による記録装置５の起動処理動作（Ｓ２）までは同じである。
【００３９】
続いて、コントローラ３はモードＳＷ６のチェックを行う（Ｓ３）。この時、モードＳＷ６は「高速起動」状態であったとする。この時点までに、撮影ＳＷ７が「撮影」状態であった場合には、コントローラ３はカメラ部１の出力を信号処理回路２で圧縮処理したデータを、バッファメモリ４へ蓄積開始する（Ｓ９）。
【００４０】
蓄積を続けながら、コントローラ３は記録装置５の状態をチェックし、ディスク９の認識が終了したかどうかを確かめる（Ｓ１０）。ディスクの認識が終了した事がわかると、コントローラ３はディスク９の残り容量をチェックする（Ｓ１１）。
【００４１】
ディスク９の残り容量がまだあることが確認されると、コントローラ３は記録装置５の状態をチェックし、ディスク９への記録が可能になったかどうかを確かめる（Ｓ１２）。ディスク９への記録が可能となると、コントローラ３はバッファメモリ４に蓄積されているデータを記録装置５へ送り、内部のディスク９に記録を開始する（Ｓ１３）。
【００４２】
なお、モードＳＷ６が「通常起動」の場合、Ｓ５でコントローラ３によりディスク９の残り容量が無いことが確認された場合には、Ｓ１４でディスク９の残り容量がないことを警告表示する。また、モードＳＷ６が「高速起動」の場合、Ｓ１１でディスク９の残り容量がないことが確認された場合には、Ｓ１５でバッファメモリ４への蓄積を停止（撮影停止）した後、Ｓ１４でその旨を警告表示する。
【００４３】
以上のように、モードＳＷ６が「通常起動」状態の場合は、撮影ＳＷ７が「撮影」状態となり、且つ、ディスク９が認識され、ディスク９の残容量があることが確認されてから、撮影を開始する。また、モードＳＷ６が「高速起動」状態の場合は、撮影ＳＷ７が「撮影」状態となれば、ディスク９を認識することなく、すぐに撮影を開始できる。
【００４４】
一般的に、ディスクを認識する時間は数秒かかるので、ディスクを交換してから実際に撮影できるまでの時間は、「高速起動」状態に比べ、「通常起動」状態では数秒遅れることになる。例えば、使用者が、新品のフォーマット済みディスクもしくは、ディスクの残容量があることがわかっているディスクを装置に装着し、撮影をする場合、モードＳＷ６を「高速起動」状態として行えば、撮影開始までの時間を短縮でき、ストレスの無い撮影が可能となる。
【００４５】
また、空き容量があるかどうかわからないディスクを使用する場合は、モードＳＷ６を「通常起動」状態として撮影を開始することで、撮影した映像をディスクに記録できないというようなことが発生しない。
【００４６】
（第３の実施形態）
次に、本発明の第３の実施形態について説明する。図４は第３の実施形態を示すブロック図、図４はその動作を示すフローチャートである。ブロック構成は図１とほぼ同じであるが、フォーマットＳＷ８を追加した点が異なっている。その他の構成は図１と同様である。
【００４７】
フォーマットＳＷ８は、ディスクを「フォーマットする」、「フォーマットしない」の２つの状態を切り換えるスイッチである。
【００４８】
次に、図５のフローチャートに沿って動作を説明する。本実施形態では、モードＳＷ６が「通常起動」状態の場合の動作は、第２の実施形態と同じであるので、図５のフローチャートではＳＷ６の状態が「高速起動」の場合だけを示す。
【００４９】
電源が入った状態でディスク９が交換されると（Ｓ１）、コントローラ３は記録装置５の起動処理を行う（Ｓ２）。電源が入った状態なのでカメラ部１、画像処理部２、バッファメモリ４等の初期化は終了しているが、記録装置５はディスク９が装着されたところなので、起動処理によりディスク９の認識動作に入る。
【００５０】
続いて、コントローラ３はモードＳＷ６のチェックを行う。本実施形態ではモードＳＷ６は「高速起動」状態とする。この時点までに、撮影ＳＷ７が「撮影」状態であった場合、コントローラ３はカメラ部１の出力を信号処理回路２で圧縮処理したデータを、バッファメモリ４へ蓄積開始する（Ｓ３）。
【００５１】
蓄積を続けながら、コントローラ３は記録装置５の状態をチェックし、ディスク９の認識が終了したかどうかを確かめる（Ｓ４）。次に、フォーマットＳＷ８の状態をチェックする（Ｓ５）。その時、ＳＷ８が「フォーマットする」状態であった場合には、ディスクがフォーマットが可能なディスクか否かを確認する（Ｓ６）。ディスクがフォーマットが可能なディスクであった場合には、コントローラ３は記録装置５を制御してディスクのフォーマットを行う（Ｓ６）。
【００５２】
また、Ｓ６でフォーマットが可能なディスクでない場合には、Ｓ１０でバッファメモリ４への記録を停止した後に警告表示を行う（Ｓ１１）。フォーマットが不可能なディスクには、例えば、１回しか記録できないディスクやプロテクトがかけられたディスク等がある。
【００５３】
また、Ｓ６の処理が終了すると、コントローラ３は記録装置５の状態をチェックし、フォーマットが終了し、ディスクへの記録が可能になったかを確かめる（Ｓ７）。ディスクへの記録が可能となると、コントローラ３はバッファメモリ４に蓄積されているデータを記録装置５へ送り、内部のディスクに記録を開始する（Ｓ８）。
【００５４】
一方、Ｓ５でフォーマットＳＷ８の状態をチェックし、「フォーマットしない」状態であった場合には、コントローラ３はディスクの残り容量をチェックする（Ｓ９）。ディスクの残り容量がまだあることが確認されると、コントローラ３は記録装置５の状態をチェックし、ディスクへの記録が可能になったか確かめる（Ｓ７）。
【００５５】
ディスクへの記録が可能となると、コントローラ３はバッファメモリ４に蓄積されているデータを記録装置５へ送り、内部のディスクに記録を開始する（Ｓ８）。なお、Ｓ９でディスクの残り容量が無いことが確認された場合には、Ｓ１０でバッファメモリ４への蓄積を停止（撮影停止）した後、ディスクの残容量がないことを警告する（Ｓ１１）。
【００５６】
以上のようにモードＳＷ６が「高速起動」状態の場合に、フォーマットＳＷ８を「フォーマットする」状態にしておくことで、撮影を続けながらディスクをフォーマットし、フォーマット後にディスクへの記録を開始する。そのため、消去可能なディスクに交換したときや、未フォーマットの新品ディスクを挿入したときにも、ストレス無くすぐに撮影が開始できる。
【００５７】
また、ディスクのフォーマット動作を行うので、繰り返し使用可能なディスクを使用する場合には、ディスクの空き容量を気にしないで撮影が可能となる。
【００５８】
一般的に、ディスクをフォーマットする時間は数秒から数十秒かかるので、ディスクを交換してから実際に撮影できるまでの時間は、「フォーマットする」状態ではそれらの時間を待つ必要なく撮影できることになる。
【００５９】
また、フォーマットしてよいかどうかわからないディスクを使用する場合は、フォーマットＳＷ８を「フォーマットしない」状態として撮影を開始することで、大事な映像をフォーマットにより消してしまうというようなことが発生しない。
【００６０】
本発明においては、画像若しくは音声等の情報をディスクに記録する場合、使用者の記録指示後、ディスクの残容量を取得する以前に情報をバッファメモリに蓄積開始し、残容量を取得した後にバッファメモリからディスクへの記録を開始するように制御する第１のモードを有する。また、使用者の記録指示後、ディスクの残容量取得した後に情報をバッファメモリに蓄積開始し、後にバッファメモリからディスクへ記録を開始するように制御する第２のモードを備えている。第１、第２のモードは使用者によって選択可能とすることで、使用者へのストレスを最低限に抑えることが可能な情報記録装置を提供することができる。
【００６１】
例えば、ビデオカメラの場合、第１のモードを選択することで、撮影開始がなかなかできないというようなことがなくなる。また、第２のモードを選択することで、撮影開始後にディスクの記録容量が無いというようなことがなくなる。
【００６２】
また、第１と第２のモードが電源オン時に使用者が選択可能であることで、例えば、使用者が、ビデオカメラ内に入っているディスクの残容量があることがわかっていて撮影を行う場合、第１のモードを選択することで、撮影開始までの時間を短縮できる。
【００６３】
逆に、使用者が、ビデオカメラ内に入っているディスクの空き容量があるかどうかわからない場合には、第２のモードを選択することで、撮影した映像をディスクに記録できないというようなことが発生しない。
【００６４】
更に、第１と第２のモードが、ディスクの交換時に選択可能であることで、例えば、使用者が新品のフォーマット済みディスクを装置に入れて撮影を開始した場合、第１のモードを選択することで、撮影開始までの時間を短縮できる。
【００６５】
また、空き容量があるかどうかわからないディスクを装置に入れて撮影を開始した場合には、第２のモードを選択することで、撮影した映像をディスクに記録できないというようなことが発生しない。
【００６６】
更に、記録開始とともにディスクのフォーマット動作を行い、その後、バッファメモリからディスクへの記録を開始するように制御する第３のモードを使用者によって選択可能としている。そのため、例えば、使用者が新品の未フォーマットディスクまたは消去してもよいことがわかっているディスクを装置に入れて撮影を開始した場合、第３のモードを選択することで、撮影開始までの時間を短縮できる。
【図面の簡単な説明】
【００６７】
【図１】本発明に係る情報記録装置の一実施形態の構成を示すブロック図である。
【図２】図１の動作を説明するフローチャートである。
【図３】本発明の第２の実施形態を説明するフローチャートである。
【図４】本発明の第３の実施形態を示すブロック図である。
【図５】図４の動作を説明するフローチャートである。
【符号の説明】
【００６８】
１  カメラ部
２  信号処理部
３  コントローラ
４  バッファメモリ
５  記録装置
６  モードＳＷ
７  撮影ＳＷ
８  フォーマットＳＷ
９  ディスク
【図１】
2007184039.tif 000003
【図２】
2007184039.tif 000004
【図３】
2007184039.tif 000005
【図４】
2007184039.tif 000006
【図５】
2007184039.tif 000007